(57)【特許請求の範囲】
【請求項１】
挿入部の内部に挿通されこの挿入部の先端で開口部を形成する管路を有し、該挿入部の先端に観察光学系の観察窓を備えた内視鏡において、
前記挿入部の先端に着脱自在な弾性材から形成される先端部材を備え、該先端部材は、前記管路に連通する中空部と、この中空部に連通して前記内視鏡の観察窓に向かって開口する第１の開口部と、前記中空部と連通して前記管路の開口部に対向する第２の開口部とを有すると共に、前記第２の開口部には弾性変形によって開口する弁部を備えたことを特徴とする内視鏡。
【発明の詳細な説明】
【０００１】
【発明の属する技術分野】
本発明は、患者の体腔内に挿入して被検部位の観察、処置を行う医療用の内視鏡に関する。
【０００２】
【従来の技術】
従来より、細長の挿入部を患者の体腔内に挿入して体腔内組織の観察とか処置等を行うことのできる内視鏡が医療分野において広く用いられている。
【０００３】
医療用の内視鏡は、一般に挿入部内に送気送水，吸引，処置具の挿通などを行うための管路を備えており、従来は、送気送水管路と吸引管路とを別にして複数の管路を備えたものや、送気送水機能と吸引機能とを有する一つの管路を備えたものなどが用いられている。一つの管路で送気送水機能と吸引機能とを兼用する構成の内視鏡としては、例えば実公昭５３−２７４３４号公報に示されるように、挿入部先端に複数の開口部を有する吸引チャンネルを備え、前記開口部の一つは光学レンズ面に向けられ、他の開口部には操作可能な開閉弁を備えたものが提案されている。
【０００４】
【発明が解決しようとする課題】
前述した実公昭５３−２７４３４号公報の内視鏡では、複数の管路開口部が挿入部先端の構成部に組み込まれて構成されており、特に光学レンズ面に向けられた開口部からレンズ面上の汚物を吸引除去した場合には、吸引チャンネル内に汚物が詰まることが想定される。このとき、先端構成部内に組み込まれた管路の内部は洗浄がしにくく、詰まった汚物の除去が困難な場合がある。管路内の汚物が除去できない場合には、その後のレンズ面上の汚物除去が不能となるおそれがある。また、他方の開口部に設けられる開閉弁においては、手元側での操作を必要とすることが操作上煩雑である上に、手元側まで延在する操作手段のために挿入部が太くなる問題点も含んでいる。
【０００５】
本発明は、これらの事情に鑑みてなされたもので、簡単な構造でありながら、挿入部を細径化でき、先端の光学レンズ面上の汚物除去を確実に行うことが可能な構成の内視鏡を提供することを目的としている。
【０００６】
【課題を解決するための手段】
本発明による内視鏡は、挿入部の内部に挿通されこの挿入部の先端で開口部を形成する管路を有し、該挿入部の先端に観察光学系の観察窓を備えた内視鏡において、
前記挿入部の先端に着脱自在な弾性材から形成される先端部材を備え、該先端部材は、前記管路に連通する中空部と、この中空部に連通して前記内視鏡の観察窓に向かって開口する第１の開口部と、前記中空部と連通して前記管路の開口部に対向する第２の開口部とを有すると共に、前記第２の開口部には弾性変形によって開口する弁部を備えたものである。
【０００７】
【発明の実施の形態】
以下、図面を参照して本発明の実施の形態を説明する。
図１ないし図３は本発明の第１の実施形態に係り、図１は内視鏡挿入部の先端部の構成を示す斜視図、図２は先端部材を内視鏡挿入部の先端から取り外した状態を示す斜視図、図３はチャンネル管路内に処置具を挿通して内視鏡挿入部の先端から突出させた状態を示す斜視図である。
【０００８】
本実施形態の内視鏡は、体腔内へ挿入する細長の内視鏡挿入部１を有して構成されている。内視鏡挿入部１の先端部２には、図１に示すように、弾性部材からなる先端部材３が取り付けられるようになっている。この挿入部先端部２には、図示しない光源からの照明光を先端面より出射する照明レンズ４と、体腔内の被検部位における観察物体像を受光する対物レンズ５とが設けられている。
【０００９】
内視鏡挿入部１には、図示しないが、手元側から先端の照明レンズ４へ前記照明光を伝送する光ファイバー束からなるライトガイドと、対物レンズ５を通して入射してくる画像を手元側へ伝送する像伝送手段とが内蔵されている。この像伝送手段としては、レンズ，光ファイバー束等の光学部材からなるイメージガイド、あるいは固体撮像素子及び信号ケーブル等からなる電子撮像装置などが設けられる。
【００１０】
また、内視鏡挿入部１には、図２に示すように、前記光学系内蔵物と平行して一本のチャンネル管路６が設けられ、先端面の開口部７で開口している。このチャンネル管路６は、詳細は図示しないが、該管路を介して、送気送水手段によって手元側から送気，送水を行ったり、吸引手段によって先端面から手元側にかけて吸引を行うことができると共に、図３に示すように、手元側から生検鉗子等の処置具８を挿通できるように構成されている。
【００１１】
挿入部先端部２に取り付けられる先端部材３は、比較的柔軟な弾性部材（例えばシリコンゴムや各種エラストマー等）の一体成型により形成されており、内視鏡挿入部１の先端に固定できるよう挿入部先端部２に嵌合する環状部９と、前記チャンネル管路６の開口部７に係合しチャンネル管路内と連通する管腔部１０とを有している。
【００１２】
前記管腔部１０は、先端部材３内部において二つの管腔に分岐しており、一方の管腔は側方に延出し、内視鏡挿入部１の先端の取り付けられた際に対物レンズ５に向かって開口するよう第１の開口部１１を形成している。他方の管腔は先端面に向かってそのまま延出しているが、その開口部においては弾性部材の膜１２が設けられ、開口部が膜１２で塞がれて通常は開放されていない状態となっている。
【００１３】
この弾性部材の膜１２にはスリット１３が設けられており、処置具８を挿通して膜１２を押圧すると、図３のように処置具８の挿通力によりスリット１３周辺の膜１２が弾性変形して前記先端面に向かう管腔が開口され、第２の開口部１４が形成されるよう構成されている。
【００１４】
本実施形態の内視鏡を検査に使用する場合には、先端部材３を内視鏡挿入部１の先端部２に取り付けて体腔内の被検部位に挿入する。使用している間に、体腔内にある汚物、例えば体液や血液、あるいは生体組織等が光学レンズ５に付着して観察に支障が生じた場合は、手元側操作部の操作にて送気，送水あるいは吸引を行う。
【００１５】
送気または送水作用時には、チャンネル管路６内に圧入した空気または水が第１の開口部１１から噴出され、この噴出された流体によって光学レンズ５面上の汚物が除去される。吸引作用時には、チャンネル管路６内に負圧を発生して吸引することによって第１の開口部１１からチャンネル管路６に向けて挿入部先端付近の汚物や水滴が吸い取られる。これらの作用の操作は、内視鏡を操作する術者が汚物の状況等から適切な判断にて作用を選択して行う。
【００１６】
これらの送気，送水，吸引操作いずれの場合においても、第２の開口部１４は弾性部材の膜１２によって塞がれているため、第１の開口部１１において効果的に送気送水作用または吸引作用を得ることが可能となる。
【００１７】
体腔内において処置具を用いた処置を行う場合には、手元側からチャンネル管路６内を通じて生検鉗子等の処置具８を挿通し、内視鏡挿入部１の先端面から突出させて使用する。このとき、処置具８を先端部材３から強制的に押し出すことにより、図３に示すように処置具８の先端によって弾性部材よりなる膜１２が変形し、スリット１３が開口して第２の開口部１４が形成され、この先端面の第２の開口部１４より処置具８が突出する。
【００１８】
そして、この先端部材３を取り付けた状態にて検査を行った後には、内視鏡挿入部１から先端部材３を取り外して各々洗浄消毒を行うことになる。このとき、内視鏡挿入部１先端においては、送気送水および吸引機能と処置具挿通の機能とを兼ね備えたチャンネル管路６がただ一つ存在するのみであるため、挿入部を細径化できると共に、複数の管路を洗浄消毒する必要はなく洗浄消毒の工程を簡単にすることができ、容易に洗浄消毒を実施できる。
【００１９】
また、取り外した先端部材２においては、複雑な形状及び管腔形態であるものの柔軟な弾性部材であるため、先端部材２を変形させながら容易に十分な洗浄を行うことが可能であり、管路の詰まりを防止し、洗浄性を向上できる。また、管腔の長さが短いため、汚物を除去することが容易であり、消毒もより確実に行うことができる。
【００２０】
ここで、第１の実施形態における先端部材の構成を変更した変形例を図４及び図５に示す。
【００２１】
図４は上記実施形態の第１変形例に係る内視鏡挿入部の先端部の構成を示す軸方向断面図である。
【００２２】
第１変形例は、先端部材をフード形状に形成した構成例である。先端部材３Ａは、フード部１５を有して構成されており、内視鏡挿入部１の先端部２に取り付けたときに、先端面には環状の突起が形成されるようになっている。なお、先端部材３Ａは透明な素材で形成され、フード部１５を通しての視野も確保できるようになっている。
【００２３】
体腔内における病変部の切除等の処置を行う場合には、本変形例のようなフード形状を備える先端部材３Ａを内視鏡挿入部１先端に取り付けて用いることも考えれる。このようなフード部１５を有する先端部材３Ａを用いれば、内視鏡挿入部の挿入性を向上でき、また、フード部１５により送気，送水，吸引等の作用や各種処置具による処置を確実に行うことが可能となる。
【００２４】
図５は上記実施形態の第２変形例に係る内視鏡挿入部の先端部の構成を示す斜視図である。
【００２５】
第２変形例は、先端部材と挿入部先端部との嵌合部を非円形形状に形成した構成例である。先端部材３Ｃと内視鏡挿入部１の先端部２Ｂとの嵌合部１９は、円形状ではなく円の一部を弦でカットした略Ｄ字状の異形状に形成されている。
【００２６】
この第２変形例のように構成すれば、先端部材３Ｂを取り付ける際に所定の回転方向に位置を合わせながら嵌合させることにより、面倒な作業を行わなくてもチャンネル管路６の開口部７と管腔部１０との位置合わせがなされるため、取り付け作業を容易に行うことが可能となる。
【００２７】
図６及び図７は本発明の第２の実施形態に係り、図６は内視鏡挿入部の先端部の主要部を拡大した軸方向断面図、図７はチャンネル管路内に吸引チューブを挿通して内視鏡挿入部の先端から突出させた状態を示す斜視図である。
【００２８】
第２の実施形態は、先端部材の管腔部に設けられる第１の開口部の構成を変更した例である。ここでは第１の実施形態と異なる部分についてのみ説明する。
【００２９】
先端部材３Ｃは、第１の実施形態と同様に管腔部１０が設けられ、管腔部１０の側方に開口する第１の開口部１１が形成されており、先端部材３Ｂを挿入部先端部２に取り付けた際に対物レンズ５に向かって開口するような構造となっている。この第１の開口部１１には、先端部材３Ｃと一体に形成された弾性部材からなり、送気送水による圧力で弾性変形して開閉するフラップ１６が設けられている。
【００３０】
このフラップ１６は、送気，送水が行われていない状態においては図６中実線で示すように第１の開口部１１を閉じるように形成されており、この状態においてはフラップ１６が図６中一点鎖線で示す対物視野範囲に入らない位置にある。一方、送気送水時にはチャンネル管路６内から生じる圧力によって図６中破線で示すように第１の開口部１１が形成されるようフラップ１６が変形するが、このときにはフラップ１６が前記対物視野範囲に入り込んでくることになる。このとき、フラップ１６はノズルの機能を有し、チャンネル管路６から送られてくる空気あるいは水を内視鏡挿入部１の対物レンズ５表面に向けて噴出する。
【００３１】
なお、体腔内での吸引操作を行う場合には、図７に示すように、チャンネル管路６に先端が開口した吸引チューブ１７を挿通し、この吸引チューブ１７で膜１２のスリット１３を開口させ、吸引チューブ１７を第２の開口部１４から突出させて使用する。この場合は、吸引チューブ１７を介して体腔内の汚物や水滴等の吸引が行われる。
【００３２】
第２の実施形態では、弾性変形して第１の開口部１１を形成すると共にこの際にノズルの機能を持つフラップ１６を設けたため、フラップ１６によってチャンネル管路６から送られてくる洗浄用流体を対物レンズ５表面に効果的に当てることができ、対物レンズ５上の汚物除去をより効果的に行うことが可能となる。
【００３３】
図８ないし図１０は本発明の第３の実施形態に係り、図８は内視鏡挿入部の先端部の構成を示す斜視図、図９はチャンネル管路内に挿通した処置具を内視鏡挿入部の第２の開口部から突出させた状態を示す斜視図、図１０は吸引作用時に第２の開口部を開口させた状態を示す斜視図である。
【００３４】
第３の実施形態は、先端部材の管腔部に設けられる第２の開口部の構成を変更した例である。ここでは第１の実施形態と異なる部分についてのみ説明する。
【００３５】
先端部材３Ｄは、第１の実施形態と同様に管腔部１０が設けられ、管腔部１０の側方に開口する第１の開口部１１が形成されると共に、先端面に管腔部１０を塞ぐ蓋部材１８が設けられている。この蓋部材１８は、先端部材３Ｄと一体に形成された弾性部材からなり、外側（図９）または内側（図１０）に弾性変形することにより第２の開口部１４が形成されるようになっている。
【００３６】
体腔内において処置具を用いた処置を行う場合には、手元側からチャンネル管路６内を通じて生検鉗子等の処置具８を挿通し、先端部材３Ｄから突出させて使用する。このとき、処置具８の先端で蓋部材１８を押すことにより、図９に示すように蓋部材１８が外側に変形して第２の開口部１４が開口し、この第２の開口部１４より処置具８が突出する。
【００３７】
吸引操作を行う場合には、チャンネル管路６内に負圧を発生して吸引することによって、図１０に示すように蓋部材１８が内側に変形して第２の開口部１４が開口し、第２の開口部１４からチャンネル管路６に向けて体腔内の汚物や水滴等が吸い取られる。
【００３８】
また、送気送水作用時には、洗浄用の空気または水をチャンネル管路６内に送り、これらの流体を第１の開口部１１から光学レンズ５に向けて噴出することにより、光学レンズ５面上の汚物が除去される。このとき、チャンネル管路６内に生じる圧力は、洗浄用流体を送る際に生じる送気送水圧が吸引により発生する吸引圧より低いため、第２の開口部１４は開口することなく、第１の開口部１１のみから送気送水が行われる。
【００３９】
第３の実施形態では、第２の開口部１４において内外両側に弾性変形して開口させる蓋部材１８を設けることにより、チャンネル管路６及び第２の開口部１４を通して処置具の突出と吸引とを行うことが可能となる。
【００４０】
以上説明した各実施形態の構成によれば、一つの管路を備えた内視鏡挿入部に弾性部材からなる先端部材を取り付けて使用することで、複数の管路を備えることなく簡単な構造でかつ細径化した内視鏡挿入部でありながら、送気，送水，吸引による先端の光学レンズ面上の汚物除去を確実に行うことが可能となる。また、この一つの管路にて処置具の挿通も行うことが可能である。
【００４１】
図１１ないし図１５に管路先端部に設けられるノズルの他の構成例を示す。
【００４２】
図１１及び図１２に示す第１の構成例では、内視鏡挿入部２１の先端部２２にパイプを曲げ形状にして形成されたノズル２３が設けられている。
【００４３】
前記ノズル２３は、形態は従来の内視鏡から用いられているものと同様であるが、金属パイプに曲げ加工を施してノズル２３の形状を形成した後に、ノズル２３の内面（内腔表面）に表面滑性が高いフッ素系樹脂、例えばＰＴＦＥ，ＦＥＰ，ＰＦＡ等によるコーティング処理が施されている。このように構成されたノズル２３の基端部外周にノズル保護部材２５が接着固定され、この部材が先端構成部２６にネジ２７によってネジ止め固定されている。
【００４４】
図１３ないし図１５に示す第２の構成例では、内視鏡挿入部２１の先端部２２に円筒形状部材の内腔に側孔を設けて形成されたノズル２８が設けられている。このノズル２８は、フッ素系樹脂、あるいはポリアセタール，ポリアミド，液晶ポリマーなどの硬質樹脂等、その表面滑性が高い素材で形成され、円筒形状部材の側部に内腔と連通し外部に開口する孔からなる開口部２９が形成されている。
【００４５】
ノズル２８の開口部２９の形成例としては、図１４に示すような内視鏡挿入部２１の先端面と平行に向けて形成したものや、図１５に示すような内視鏡挿入部２１の先端面に向かって斜めに角度を付けて形成したものが挙げられる。図１４の例では、ノズル２８基端側の側部に設けられた凹部３０にネジ２７が当接しノズル２８を係止することによって、ノズル２８が先端構成部２６に固定されている。図１５の例では、ノズル２８基端側の側部の凹部３０にネジ２７の先端に形成されたピン３１が当接しノズル２８を係止することによって、ノズル２８が先端構成部２６に固定されている。
【００４６】
上記のように構成されたノズル２３，２８によって、前述の実施形態と同様に管路に導入された洗浄用の空気あるいは水を対物レンズ２４へ噴出して送気，送水を行うことにより、先端の対物レンズ２４面上に付着した汚物を除去することができる。
【００４７】
内視鏡検査に使用する際には、患者の体腔内に存在する体液、あるいは組織片等の汚物がノズル２３，２８の開口部２９からノズル内部に侵入し、汚物が残存するおそれもある。本構成例のノズル２３，２８の内面は、表面滑性が高い撥水性に優れる樹脂で形成されたり、このような樹脂のコーティング処理が施されているため、汚物がノズル２３，２８の内面に固着することはなく、検査中もしくは検査後における送水および送気の作用により汚物は容易に除去される。
【００４８】
本構成例のノズルによれば、検査中にノズル内部に侵入する体液や組織片等がノズル内に固着することはなく、ノズルの詰まりや流れ抵抗の増加を防止できるため、対物レンズ面上の汚物を確実に除去することが可能となる。
【００４９】
なお、その他の構成例として、ＰＴＦＥ等のフッ素系樹脂からなるチューブ体を図１１及び図１２に示す第１の構成例のノズル形態のように曲げ形状に熱加工したものとか、前記フッ素系樹脂に限らず、ポリエチレン樹脂等を用いたものなども、同様の効果を有するものとして挙げられる。また、図１３ないし図１５に示す第２の構成例のノズル形態においては、前記同様フッ素系樹脂に限らず、ポリエチレン，ポリサルフォン，ポリアセテート，変性ポリフェニレンオキサイド等、種々の硬質樹脂で構成したものでも同様の効果が得られる。
【００５０】
図１６ないし図１８に挿入部先端側の湾曲部周辺の構成例を示す。
【００５１】
図１６に示すように、内視鏡挿入部４１は、先端側から先端部４２，湾曲部４３，可撓管部４４か連結されて構成されている。可撓管部４４の蛇管４５は、細い板状の金属部材を螺旋状に巻いて筒状にしたフレックス４６の上に樹脂４７を被覆することによって形成された細長の可撓性を有する筒状部材からなっている。蛇管４５の一端には、円筒状の口金４８が一体に設けられている。また図示しないが、蛇管４５の他端は内視鏡の操作部本体と連結されている。
【００５２】
前記口金４８には、湾曲部４３の基端部４３ａが一体的に取り付けられている。湾曲部４３は、薄肉円筒状の金属部材である節輪４９をその中心軸が一致するように複数組み合わせて連結したものにより形成されている。隣り合う節輪４９同士は、ピン５０を中心にして互いに回動可能に連結されている。
【００５３】
湾曲部４３の先端部４３ｂには、先端部４２を構成する円柱状の金属部材である先端ブロック５１が一体的に取り付けられている。先端ブロック５１には、その長手方向に三つの孔が設けられており、これらの孔のうち二つに対して、照明レンズ４，対物レンズ５（図示しない）が設けられ、それぞれライトガイド５２，図示しない固体撮像装置の先端部が固定されると共に、もう一つの孔にチャンネル管路６の先端が固定されている。
【００５４】
なお、図１６では説明を簡単にするため、内蔵物は図示していない。
【００５５】
また、前記湾曲部４３の節輪４９外周には、その長手方向全長に渡って細い金属素線を編んで筒状に形成した網状金属部材５３が被覆されている。この網状金属部材５３は、操作部側は湾曲部４３の基端部４３ａに対して、先端側は湾曲部４３の先端部４３ｂに対してそれぞれロー付により固定されている。
【００５６】
網状金属部材５３の上には、湾曲部４３の操作部側の途中位置から基端部４３ａの節輪部分まで、円筒状のゴムからなる第１の筒状ゴム部材５４が被覆されている。さらに、第１の筒状ゴム部材５４の上には、先端部４２の先端ブロック５１から可撓管部４４の蛇管４５の先端部にかけて、円筒状のゴムからなる第２の筒状ゴム部材５５が被覆されている。
【００５７】
前記第２の筒状ゴム部材５５の先端側端部５５ａは、先端ブロック５１に対して糸で縛った後、その糸の上から接着材を塗布することで固定されている。また操作部側端部５５ｂは、前記先端側と同様の方法で蛇管４５に対して固定されている。
【００５８】
前記第１の筒状ゴム部材５４は、その被覆位置がずれないように、湾曲部４３の基端部４３ａの節輪に対して、接着部５６において網状金属部材５３を介して全周にわたって接着固定されている。本構成例では、第１の筒状ゴム部材５４の接着部位は操作部側端部においてのみとしているが、要は第１の筒状ゴム部材５４の位置がずれないようにすれば良いのであって、特にこの位置に限定されるものではない。また、第１の筒状ゴム部材５４と第２の筒状ゴム部材５５とを接着固定しても良い。また、ゴム部材の固定方法を接着にせず、ゴムの溶着による方法を用いても良い。また、第１の筒状ゴム部材５４の長手方向の移動に対する摩擦抵抗が十分大きい場合には、接着しなくとも容易には位置ずれが生じないので、特に接着，溶着等を行う必要がない。
【００５９】
また、本構成例では第１の筒状ゴム部材５４，第２の筒状ゴム部材５５は、その肉厚が長手方向において均一となっているが、必ずしも肉厚を均一にする必要はない。前記筒状ゴム部材の肉厚構造の変形例を図１７及び図１８に示す。
【００６０】
図１７に示す第１変形例では、第１の筒状ゴム部材５４Ａ及び第２の筒状ゴム部材５５Ａを先端側に向かって肉厚が徐々に薄くなるよう形成している。図１８に示す第２変形例では、第２の筒状ゴム部材５５Ｂを、段差部５７を境にして操作部側の肉厚を厚く、先端側の肉厚を薄く形成して段差のあるものとし、この段差部５７の位置を第１の筒状ゴム部材５４の先端側端部よりも先端側にずらして配置している。この第２変形例の構造により、第１の筒状ゴム部材５４の先端側端部において、急激な屈曲が起きないようにすることができる。
【００６１】
なお、本構成例では筒状ゴム部材の数は二つとしているが、特に二つである必要はなく、三つ以上設けても特に問題はない。
【００６２】
本構成例において、湾曲操作を行うと、第１の筒状ゴム部材５４が被覆されている湾曲部４３の操作部側は、第２の筒状ゴム部材５５のみが被覆されている先端側部分に比べて、大きな曲げ抵抗が生じる。したがって、湾曲部４３は先端側から優先的に曲がるため、一枚だけ筒状ゴム部材を被覆した場合に比べて湾曲半径が小さくなる。
【００６３】
このように本構成例によれば、湾曲部４３を先端側から優先的に曲げることができるため、先端部の小回りが効くようになり、狭い管腔でも観察，処置がしやすく、操作性を向上できる。また、単に筒状ゴム部材の厚さを途中から変化させるような構成を用いた場合では、成形上の困難さから厚さの変化に限度があるが、本構成例では特に成形上の問題がないので、所望の厚さ変化を有する筒状ゴム部材を容易に構成できる。
【００６４】
［付記］
（１）  挿入部の内部に挿通されこの挿入部の先端で開口部を形成する管路を有し、該挿入部の先端に観察光学系の観察窓を備えた内視鏡において、
前記挿入部の先端に着脱自在な弾性材から形成される先端部材を備え、該先端部材は、前記管路に連通する中空部と、この中空部に連通して前記内視鏡の観察窓に向かって開口する第１の開口部と、前記中空部と連通して前記管路の開口部に対向する第２の開口部とを有すると共に、前記第２の開口部には処置具の挿通による弾性変形によって開口する弁部を備えたことを特徴とする内視鏡。
【００６５】
（２）  前記管路は、送気，送水，吸引のための流路となると共に、処理具の挿通が可能な管路であることを特徴とする付記１に記載の内視鏡。
【００６６】
（３）  前記第２の開口部に設けられる弁部は、弾性部材からなる少なくとも一つ以上のスリットを有する薄膜で構成されていることを特徴とする付記１に記載の内視鏡。
【００６７】
（４）  前記第２の開口部に設けられる弁部は、弾性変形により開閉する弾性部材からなる開閉部材を有して構成されていることを特徴とする付記１に記載の内視鏡。
【００６８】
（５）  前記第２の開口部は、前記管路において送気送水作用時に発生する送気送水圧によっては弾性変形を起こさず開口しないよう構成されていることを特徴とする付記１に記載の内視鏡。
【００６９】
（６）  前記管路において、吸引作用時に、送気送水作用時の送気送水圧より高い圧力の吸引圧を発生するようになっており、前記第２の開口部は、前記吸引圧によって開閉部材が弾性変形を起こして開口し、前記送気送水圧によっては弾性変形を起こさず開口しないよう構成されていることを特徴とする付記４に記載の内視鏡。
【００７０】
（７）  前記先端部材は、先端側に突出するフード部を有して構成されることを特徴とする付記１に記載の内視鏡。
【００７１】
（８）  前記先端部材と挿入部先端部との嵌合部は、非円形形状であることを特徴とする付記１に記載の内視鏡。
【００７２】
（９）  前記先端部材は、一体成形のシリコンゴムからなることを特徴とする付記１に記載の内視鏡。
【００７３】
（１０）  前記先端部材は、内視鏡の対物視野の範囲外に位置していることを特徴とする付記１に記載の内視鏡。
【００７４】
（１１）  前記先端部材の第１の開口部は、内視鏡の対物視野の範囲外に位置していることを特徴とする付記１に記載の内視鏡。
【００７５】
（１２）  前記先端部材は、透明な素材からなることを特徴とする付記１に記載の内視鏡。
【００７６】
【発明の効果】
以上説明したように本発明によれば、簡単な構造でありながら、挿入部を細径化でき、先端の光学レンズ面上の汚物除去を確実に行うことが可能な構成の内視鏡を提供できる効果がある。
【図面の簡単な説明】
【図１】本発明の第１の実施形態に係る内視鏡挿入部の先端部の構成を示す斜視図
【図２】第１の実施形態に係る先端部材を内視鏡挿入部の先端から取り外した状態を示す斜視図
【図３】第１の実施形態の内視鏡挿入部においてチャンネル管路内に処置具を挿通して内視鏡挿入部の先端から突出させた状態を示す斜視図
【図４】第１の実施形態の第１変形例に係る内視鏡挿入部の先端部の構成を示す軸方向断面図
【図５】第１の実施形態の第２変形例に係る内視鏡挿入部の先端部の構成を示す斜視図
【図６】本発明の第２の実施形態に係る内視鏡挿入部の先端部の主要部を拡大した軸方向断面図
【図７】第２の実施形態の内視鏡挿入部においてチャンネル管路内に吸引チューブを挿通して内視鏡挿入部の先端から突出させた状態を示す斜視図
【図８】本発明の第３の実施形態に係る内視鏡挿入部の先端部の構成を示す斜視図
【図９】第３の実施形態の内視鏡挿入部においてチャンネル管路内に挿通した処置具を内視鏡挿入部の第２の開口部から突出させた状態を示す斜視図
【図１０】第３の実施形態の内視鏡挿入部において吸引作用時に第２の開口部を開口させた状態を示す斜視図
【図１１】管路先端部に設けられるノズルの第１の構成例を示す内視鏡挿入部の先端の斜視図
【図１２】図１１に示したノズルの内部構成を示す挿入部軸方向断面図
【図１３】管路先端部に設けられるノズルの第２の構成例を示す内視鏡挿入部の先端の斜視図
【図１４】図１３に示したノズルの開口部の第１の内部構成を示す挿入部軸方向断面図
【図１５】図１３に示したノズルの開口部の第２の内部構成を示す挿入部軸方向断面図
【図１６】挿入部先端側の湾曲部周辺の構成例を示す軸方向断面図
【図１７】図１６に示した筒状ゴム部材の肉厚構造の第１変形例を示す断面図
【図１８】図１６に示した筒状ゴム部材の肉厚構造の第２変形例を示す断面図
【符号の説明】
１…内視鏡挿入部
２…挿入部先端部
３…先端部材
４…照明レンズ
５…対物レンズ
６…チャンネル管路
７…開口部
８…処置具
１０…管腔部
１１…第１の開口部
１２…膜
１３…スリット
１４…第２の開口部
代理人    弁理士    伊藤  進
【図１】
0003583542.tif 000002
【図２】
0003583542.tif 000003
【図３】
0003583542.tif 000004
【図４】
0003583542.tif 000005
【図５】
0003583542.tif 000006
【図６】
0003583542.tif 000007
【図７】
0003583542.tif 000008
【図８】
0003583542.tif 000009
【図９】
0003583542.tif 000010
【図１０】
0003583542.tif 000011
【図１１】
0003583542.tif 000012
【図１２】
0003583542.tif 000013
【図１３】
0003583542.tif 000014
【図１４】
0003583542.tif 000015
【図１５】
0003583542.tif 000016
【図１６】
0003583542.tif 000017
【図１７】
0003583542.tif 000018
【図１８】
0003583542.tif 000019